(57)【特許請求の範囲】
【請求項１】
圧縮空気を導入する圧縮空気導入口、貯水部に貯水されたドレン水を導入するドレン水導入口、および前記圧縮空気導入口から導入した前記圧縮空気および前記ドレン水導入口から導入した前記ドレン水を排出する排出口を有する送水装置と、
前記送水装置の前記圧縮空気導入口に一端部が接続されると共にドレン水発生源において圧縮空気と共にドレン水を排出するドレン水排出口に他端部を接続可能に構成された第１接続用配管と、
前記送水装置の前記排出口に一端部側が接続されると共に前記ドレン水の送水対象体に他端部側を接続可能に構成された第２接続用配管と、
前記第２接続用配管における前記一端部および前記他端部の間に一端部が接続されると共に前記第１接続用配管を接続する前記ドレン水発生源とは相違するドレン水発生源においてドレン水を排出するドレン水排出口に他端部を接続可能に構成された第３接続用配管とを備え、
前記送水装置は、前記圧縮空気導入口から前記圧縮空気が導入されていない状態において前記ドレン水導入口からの前記ドレン水の導入を許容すると共に当該圧縮空気導入口から当該圧縮空気が導入されている状態において当該ドレン水導入口からの当該圧縮空気および当該ドレン水の流出を規制する逆止弁が当該ドレン水導入口に配設され、
前記第１接続用配管には、前記送水装置における前記圧縮空気導入口に対して前記ドレン水排出口および気液開放口のいずれかを選択的に連通させる切替部が配設され、
当該切替部によって前記圧縮空気導入口に対して前記気液開放口を連通させることで、前記貯水部に貯水されている前記ドレン水を前記ドレン水導入口から前記送水装置内に導入し、当該切替部によって当該圧縮空気導入口に対して前記ドレン水排出口を連通させることで、前記ドレン水発生源において発生した前記ドレン水および前記圧縮空気を前記第１接続用配管を介して当該圧縮空気導入口から前記送水装置内に導入すると共に前記ドレン水導入口から導入したドレン水および当該圧縮空気導入口から導入したドレン水を当該圧縮空気によって前記排出口から排出して前記第２接続用配管を介して前記送水対象体に送水するドレン水の送水システム。
【請求項２】
前記切替部によって前記圧縮空気導入口に対して前記気液開放口を連通させることで、前記相違するドレン水発生源における前記ドレン水排出口から圧縮空気と共に排出された前記ドレン水を当該圧縮空気によって前記第３接続用配管および前記第２接続用配管を介して前記排出口から前記送水装置内に導入し、当該切替部によって当該圧縮空気導入口に対して前記ドレン水排出口を連通させることで、前記送水装置内に導入した前記ドレン水を前記圧縮空気導入口から導入した当該圧縮空気によって前記排出口から排出して前記第２接続用配管を介して前記送水対象体に送水する請求項１記載のドレン水の送水システム。
【請求項３】
前記切替部を制御して前記圧縮空気導入口に対して前記ドレン水排出口および前記気液開放口のいずれかを連通させる制御部を備えている請求項１または２記載のドレン水の送水システム。
【請求項４】
前記切替部は、三方弁で構成されている請求項１から３のいずれかに記載の送水システム。
【請求項５】
請求項１から４のいずれかに記載の送水システムと、前記送水対象体としての油水分離装置とを備え、前記送水システムによって送水した前記ドレン水を前記油水分離装置によって浄化するドレン水の浄化システム。
【請求項６】
請求項１から４のいずれかに記載の送水システムと、前記送水対象体としての貯水槽と、油水分離装置とを備え、前記送水システムによって前記貯水槽に送水した前記ドレン水を前記油水分離装置によって浄化するドレン水の浄化システム。
【発明の詳細な説明】
【技術分野】
【０００１】
本発明は、貯水部に貯水されたドレン水を送水対象体に送水するドレン水の送水システム、および送水システムによって送水したドレン水を油水分離装置によって浄化するドレン水の浄化システムに関するものである。
【背景技術】
【０００２】
この種のドレン水の送水システムとして、出願人は、特開平８−６１８２７号公報にドレン圧送装置（以下、「圧送装置」ともいう）を開示している。この圧送装置は、圧縮空気除湿装置等（作動時にドレン水が発生する装置：以下、「ドレン水発生源」ともいう）において発生してドレンピットに貯水されたドレン水を定期的に外部へ排水する際に使用可能に構成されている。具体的には、この圧送装置は、ドレンピット内に設置される圧送タンクと、圧送タンクの底部に設けられたドレン注入口に接続されたチャッキバルブと、圧送タンクの底部に設けられたドレン排出口に接続された排出チューブと、圧送タンクの上部に設けられた空気入口にチューブを介して接続された弁手段（例えば電磁三方弁）とを備えている。
【０００３】
この圧送装置では、弁手段が圧送タンク内を大気圧にすることにより、ドレンピット内のドレン水がドレン注入口から圧送タンク内に注入される。また、弁手段が圧縮空気の供給源（例えば、圧縮空気除湿装置：以下、「圧縮空気供給源」ともいう）から圧送タンク内への圧縮空気の供給を許容することにより、圧送タンク内のドレン水が圧縮空気によってドレン排出口から排出されて排出チューブを介して任意の送水対象体に向けて圧送される（送水される）。これにより、この圧送装置を用いた送水システムでは、電動式のポンプを用いた送水システムのようにエアの吸引によって送水が不能となるシステムとは異なり、ドレンピット内に貯水されたドレン水の量が少量の場合においても、そのドレン水を送水対象体に向けて確実に圧送することが可能となっている。
【先行技術文献】
【特許文献】
【０００４】
【特許文献１】特開平８−６１８２７号公報（第２−４頁、第１−３図）
【発明の概要】
【発明が解決しようとする課題】
【０００５】
ところが、出願人が開示している圧送装置には、以下の改善すべき課題が存在する。すなわち、出願人が開示している圧送装置では、圧縮空気供給源から圧送タンク内に圧縮空気を供給することによって圧送タンク内のドレン水を任意の送水対象体に向けて圧送する構成が採用されている。この場合、出願人が開示している圧送装置のように圧縮空気を利用してドレン水等の液体を送水する圧送装置では、送水用の圧縮空気として、圧縮空気の供給対象体に供給すべき圧縮空気の一部を使用するように設計されている。このため、この種の圧送装置を用いた送水システムでは、圧縮空気の供給対象体に供給すべき圧縮空気が、その圧縮空気を生成する過程において発生したドレン水を送水するために消費されているという現状があり、この点を改善するのが好ましい。
【０００６】
また、出願人が開示している圧送装置を用いた送水システムでは、ドレン水発生源において発生したドレン水をドレンピット内に一旦貯水した後に、圧送装置によって圧送する構成が採用されている。したがって、この送水システムでは、ドレン水発生源において発生したドレン水をドレンピットに流入させるために、ドレン水発生源とドレンピットとをドレン配管によって相互に接続するか、或いは、ドレン水発生源から排出されたドレン水をドレンピットまで案内する排水溝をドレン水発生源とドレンピットとの間に敷設する必要がある。このため、出願人が開示している圧送装置を用いた送水システムでは、ドレン配管や排水溝の敷設が必須であることに起因して、その設置コストの低減が困難となっているという現状があり、この点を改善するのが好ましい。
【０００７】
本発明は、かかる改善すべき課題に鑑みてなされたものであり、設置コストを十分に低減しつつ、圧縮空気の供給対象体に供給すべき圧縮空気を使用することなくドレン水を送水し得るドレン水の送水システムおよびドレン水の浄化システムを提供することを主目的とする。
【課題を解決するための手段】
【０００８】
上記目的を達成すべく請求項１記載のドレン水の送水システムは、圧縮空気を導入する圧縮空気導入口、貯水部に貯水されたドレン水を導入するドレン水導入口、および前記圧縮空気導入口から導入した前記圧縮空気および前記ドレン水導入口から導入した前記ドレン水を排出する排出口を有する送水装置と、前記送水装置の前記圧縮空気導入口に一端部が接続されると共にドレン水発生源において圧縮空気と共にドレン水を排出するドレン水排出口に他端部を接続可能に構成された第１接続用配管と、前記送水装置の前記排出口に一端部側が接続されると共に前記ドレン水の送水対象体に他端部側を接続可能に構成された第２接続用配管と、前記第２接続用配管における前記一端部および前記他端部の間に一端部が接続されると共に前記第１接続用配管を接続する前記ドレン水発生源とは相違するドレン水発生源においてドレン水を排出するドレン水排出口に他端部を接続可能に構成された第３接続用配管とを備え、前記送水装置は、前記圧縮空気導入口から前記圧縮空気が導入されていない状態において前記ドレン水導入口からの前記ドレン水の導入を許容すると共に当該圧縮空気導入口から当該圧縮空気が導入されている状態において当該ドレン水導入口からの当該圧縮空気および当該ドレン水の流出を規制する逆止弁が当該ドレン水導入口に配設され、前記第１接続用配管には、前記送水装置における前記圧縮空気導入口に対して前記ドレン水排出口および気液開放口のいずれかを選択的に連通させる切替部が配設され、当該切替部によって前記圧縮空気導入口に対して前記気液開放口を連通させることで、前記貯水部に貯水されている前記ドレン水を前記ドレン水導入口から前記送水装置内に導入し、当該切替部によって当該圧縮空気導入口に対して前記ドレン水排出口を連通させることで、前記ドレン水発生源において発生した前記ドレン水および前記圧縮空気を前記第１接続用配管を介して当該圧縮空気導入口から前記送水装置内に導入すると共に前記ドレン水導入口から導入したドレン水および当該圧縮空気導入口から導入したドレン水を当該圧縮空気によって前記排出口から排出して前記第２接続用配管を介して前記送水対象体に送水する。なお、本明細書および特許請求の範囲における「圧縮空気」には、「圧縮された状態において、水分、油分、錆およびゴミ等の不純物が除去されている空気」だけではなく、「圧縮された状態において、油分、水分、錆およびゴミ等の少量の不純物が含まれている空気」がこれに含まれる。
【００１０】
さらに、請求項２記載のドレン水の送水システムは、請求項１記載のドレン水の送水システムにおいて、前記切替部によって前記圧縮空気導入口に対して前記気液開放口を連通させることで、前記相違するドレン水発生源における前記ドレン水排出口から圧縮空気と共に排出された前記ドレン水を当該圧縮空気によって前記第３接続用配管および前記第２接続用配管を介して前記排出口から前記送水装置内に導入し、当該切替部によって当該圧縮空気導入口に対して前記ドレン水排出口を連通させることで、前記送水装置内に導入した前記ドレン水を前記圧縮空気導入口から導入した当該圧縮空気によって前記排出口から排出して前記第２接続用配管を介して前記送水対象体に送水する。
【００１１】
また、請求項３記載のドレン水の送水システムは、請求項１または２記載のドレン水の送水システムにおいて、前記切替部を制御して前記圧縮空気導入口に対して前記ドレン水排出口および前記気液開放口のいずれかを連通させる制御部を備えている。
【００１２】
さらに、請求項４記載のドレン水の送水システムは、請求項１から３のいずれかに記載のドレン水の送水システムにおいて、前記切替部は、三方弁で構成されている。
【００１３】
また、請求項５記載のドレン水の浄化システムは、請求項１から４のいずれかに記載の送水システムと、前記送水対象体としての油水分離装置とを備え、前記送水システムによって送水した前記ドレン水を前記油水分離装置によって浄化する。
【００１４】
また、請求項６記載のドレン水の浄化システムは、請求項１から４のいずれかに記載の送水システムと、前記送水対象体としての貯水槽と、油水分離装置とを備え、前記送水システムによって前記貯水槽に送水した前記ドレン水を前記油水分離装置によって浄化する。
【発明の効果】
【００１５】
請求項１記載のドレン水の送水システムでは、送水装置の圧縮空気導入口に一端部が接続された第１接続用配管の他端部をドレン水発生源において圧縮空気と共にドレン水を排出するドレン水排出口に接続可能に構成すると共に、切替部によって送水装置の圧縮空気導入口に対して気液開放口を連通させることで、貯水部に貯水されているドレン水を送水装置のドレン水導入口から送水装置内に導入し、切替部によって送水装置の圧縮空気導入口に対してドレン水排出口を連通させることで、ドレン水発生源において発生したドレン水および圧縮空気を第１接続用配管を介して圧縮空気導入口から送水装置内に導入すると共にドレン水導入口から導入したドレン水および圧縮空気導入口から導入したドレン水を圧縮空気によって排出口から排出して第２接続用配管を介して送水対象体に送水する。
【００１６】
したがって、請求項１記載のドレン水の送水システムによれば、圧縮空気の供給対象体に対して供給すべき圧縮空気を使用することなく、ドレン水発生源においてドレン水の排水のために排出される圧縮空気を利用してドレン水を送水対象体に送水することができる。また、ドレン水発生源において発生したドレン水を貯水部まで案内するための配管、および送水装置によってドレン水を送水対象体に送水するための圧縮空気を送水装置に供給するための配管として第１接続用配管を兼用することができるため、ドレン水用の配管、および圧縮空気用の配管を別個に敷設するのと比較して、設置コストを十分に低減することができる。
【００１７】
また、この送水システムによれば、第２接続用配管における一端部（送水装置の排出口に接続される側の端部）および他端部（ドレン水の送水対象体に接続可能に構成された側の端部）の間に一端部が接続されると共に第１接続用配管を接続するドレン水発生源とは相違するドレン水発生源においてドレン水を排出するドレン排出口に他端部を接続可能に構成された第３接続用配管を備えたことにより、第２接続用配管の一部（第３接続用配管の一端部が接続された部位と、送水装置の排出口に接続されている端部との間）を、送水装置から送水対象体にドレン水を送水するための配管、およびドレン水発生源において発生したドレン水を送水装置（貯水部）まで案内する配管として兼用することができるため、設置コストを一層低減することができる。
【００１８】
さらに、請求項２記載のドレン水の送水システムによれば、切替部によって圧縮空気導入口に対して気液開放口を連通させることで、第１接続用配管を接続するドレン水発生源とは相違するドレン水発生源におけるドレン水排出口から圧縮空気と共に排出されたドレン水をその圧縮空気によって第３接続用配管および第２接続用配管を介して排出口から送水装置内に導入し、切替部によって圧縮空気導入口に対してドレン水排出口を連通させることで、送水装置内に導入したドレン水を圧縮空気導入口から導入した圧縮空気によって排出口から排出して第２接続用配管を介して送水対象体に送水することにより、第３接続用配管の一端部が接続されたドレン水発生源から排出されたドレン水を確実に送水装置（貯水部）に案内することができると共に、案内したドレン水を確実に送水対象体に送水することができる。
【００１９】
また、請求項３記載のドレン水の送水システムによれば、切替部を制御して圧縮空気導入口に対してドレン水排出口および気液開放口のいずれかを連通させる制御部を備えたことにより、送水装置内へのドレン水の導入から、導入したドレン水の送水対象体への送水までの一連の処理を自動化することができる。
【００２０】
さらに、請求項４記載のドレン水の送水システムによれば、切替部を三方弁で構成したことにより、例えば、複数の開閉弁を用いて、送水装置の圧縮空気導入口に対してドレン水発生源のドレン水排出口、および気液開放口のいずれかを連通させる構成と比較して、容易に切替え制御することができるだけでなく、「切替部」を構成する部品点数を少数とすることができため、その設置コストを一層低減することができる。
【００２１】
また、請求項５記載のドレン水の浄化システムでは、上記の送水システムと、送水対象体としての油水分離装置とを備え、送水システムによって送水したドレン水を油水分離装置によって浄化する。また、請求項６記載のドレン水の浄化システムでは、上記の送水システムと、送水対象体としての貯水槽と、油水分離装置とを備え、送水システムによって貯水槽に送水したドレン水を油水分離装置によって浄化する。したがって、請求項５または６記載のドレン水の浄化システムによれば、エア供給対象体に対して供給すべき圧縮空気を使用することなく、ドレン水を送水して浄化することができると共に、第１接続用配管を接続するドレン水発生源において発生したドレン水を貯水部まで案内するための配管が不要となる分だけ、その設置コストを十分に低減することができる。
【図面の簡単な説明】
【００２２】
【図１】本発明の実施の形態に係る浄化システム１の構成を示す構成図である。
【図２】本発明の実施の形態に係る浄化システム１の送水システム２における送水装置１０の逆止弁１２の動作状態（開状態）について説明するための断面図である。
【図３】本発明の実施の形態に係る浄化システム１の送水システム２における送水装置１０の逆止弁１２の動作状態（閉状態）について説明するための断面図である。
【図４】本発明の実施の形態に係る浄化システム１の送水システム２における各部の動作状態について説明するためのタイムチャートである。
【図５】本発明の実施の形態に係る浄化システム１Ａの構成を示す構成図である。
【図６】本発明の実施の形態に係る浄化システム１Ｂの構成を示す構成図である。
【発明を実施するための形態】
【００２３】
以下、添付図面を参照して、本発明に係るドレン水の送水システムおよびドレン水の浄化システムの実施の形態について説明する。
【００２４】
図１に示す浄化システム１は、「ドレン水の浄化システム」の一例であって、エア供給対象体２００に対して供給する圧縮空気を生成する過程でエア供給源１００において発生したドレン水Ｗを浄化可能に構成されている。この場合、エア供給源１００は、エアコンプレッサ１１０、エアタンク１２０およびエアドライヤ１３０を備え、これらが接続用配管１４０を介して相互に接続されると共に、エアドライヤ１３０が接続用配管１４０を介してエア供給対象体２００に接続されている。なお、この例では、エアコンプレッサ１１０、エアタンク１２０およびエアドライヤ１３０が「ドレン水発生源」に相当し、ドレンピットＰが「貯水部」に相当する。また、特に限定されるものではないが、一例として、上記のエアドライヤ１３０は、冷凍サイクルを備えて圧縮空気を乾燥させる冷凍式のエアドライヤで構成されている。
【００２５】
この場合、上記のエア供給源１００では、エアコンプレッサ１１０が、周囲の空気を吸引して圧縮した圧縮空気をエアタンク１２０に向けて供給し、エアタンク１２０が、エアコンプレッサ１１０から供給された圧縮空気を貯留すると共に所要量をエアドライヤ１３０に供給し、エアドライヤ１３０が、エアタンク１２０から供給された圧縮空気に含まれている水分を除去してエア供給対象体２００に供給する。このエア供給源１００の稼働時には、エアコンプレッサ１１０内に吸引された空気（大気）に含まれる水分や、エアコンプレッサ１１０に注油されている潤滑油等の油分が混ざり合ったドレン水Ｗがエアコンプレッサ１１０のドレン水排出口１１０ａから排出される。この場合、この種のエアコンプレッサでは、生成した圧縮空気の一部と共にドレン水排出口（上記のエアコンプレッサ１１０では、ドレン水排出口１１０ａ）から上記のドレン水Ｗを排出する構成が採用されている。
【００２６】
また、エアタンク１２０のドレン水排出口１２０ａからは、エアコンプレッサ１１０から供給された圧縮空気に含まれている水分および油分や、エアコンプレッサ１１０とエアタンク１２０とを接続する接続用配管１４０内やエアタンク１２０内に例えば防錆の目的で塗布された油分等が混ざり合ったドレン水Ｗが排出される。この場合、この種のエアタンクでは、貯留している圧縮空気の一部と共にドレン水排出口（上記のエアタンク１２０では、ドレン水排出口１２０ａ）から上記のドレン水Ｗを貯水部（ドレンピットＰ）等に排出する構成が採用されている。さらに、エアドライヤ１３０のドレン水排出口１３０ａからは、エアタンク１２０から供給された圧縮空気に含まれている水分および油分や、接続用配管１４０内に塗布された油分等が混ざり合ったドレン水Ｗが排出される。このエアドライヤ１３０では、ドレン水排出口（上記のエアドライヤ１３０では、ドレン水排出口１３０ａ）からのエアドライヤ１３０内へのドレン水Ｗの流入（逆流）を阻止する逆止弁機能を有するドレン水排出器１３１がドレン水排出口に取り付けられて、このドレン水排出器１３１から、圧縮空気の一部と共にドレン水Ｗを貯水部（ドレンピットＰ）等に排出する構成が採用されている。
【００２７】
一方、浄化システム１は、送水システム２および油水分離装置３を備えている。送水システム２は、「ドレン水の送水システム」の一例であって、送水装置１０、三方弁１３、コントローラ１４および接続用配管１５ａ，１５ｂ，１６，１７を備えている。送水装置１０は、送水タンク１１および逆止弁１２を備えて構成されている。送水タンク１１は、圧縮空気を導入する圧縮空気導入口１１ａと、後述するようにドレンピットＰに貯水されたドレン水Ｗを導入するドレン水導入口１１ｂと、圧縮空気導入口１１ａから導入した圧縮空気およびドレン水Ｗや、ドレン水導入口１１ｂから導入したドレン水Ｗを排出する排出口１１ｃとが設けられた圧力容器で構成されている。この送水装置１０は、「貯水部」の一例であるドレンピットＰ内に設置されて、「送水対象体」の一例である油水分離装置３にドレン水Ｗを送水する。
【００２８】
この場合、送水タンク１１の圧縮空気導入口１１ａには、接続用配管１５ａ（接続用配管１５ｂと相俟って「第１接続用配管」を構成する配管）の一端部が接続されている。また、送水タンク１１のドレン水導入口１１ｂには、逆止弁１２が取り付けられている。逆止弁１２は、図２，３に示すように、ハウジング１２ａおよび弁体１２ｂを備えて構成されている。この逆止弁１２は、圧縮空気導入口１１ａから送水タンク１１内に圧縮空気が導入されていない状態（すなわち、送水タンク１１内が加圧されていない状態）において、図２に示すように、ハウジング１２ａと弁体１２ｂとの間に隙間が生じてドレン水導入口１１ｂからのドレン水Ｗの導入、およびドレン水導入口１１ｂからのドレン水Ｗの流出を許容すると共に、圧縮空気導入口１１ａから送水タンク１１内に圧縮空気が導入されている状態（すなわち、送水タンク１１内が加圧された状態）において、図３に示すように、送水タンク１１内に生じた圧力によって弁体１２ｂがハウジング１２ａに押し付けられて上記の隙間が閉塞されることでドレン水導入口１１ｂからのドレン水Ｗの導入、およびドレン水導入口１１ｂからの圧縮空気やドレン水Ｗの流出を規制する。さらに、送水タンク１１の排出口１１ｃには、油水分離装置３に接続された接続用配管１６（「第２接続用配管」の一例）の一端部が接続されている。
【００２９】
三方弁１３は、「切替部」の一例であって、「第１接続用配管」を構成する接続用配管１５ａ，１５ｂの間に接続されている。具体的には、この送水システム２では、一例として、三方弁１３のａポートに接続用配管１５ａの他端部が接続され、ｂポートに接続用配管１５ｂの一端部が接続され、ｃポートが大気開放されている（ｃポート自体が「気液開放口」となっている構成の例）。この場合、接続用配管１５ｂの他端部は、一例として、上記のエア供給源１００におけるエアコンプレッサ１１０のドレン水排出口１１０ａ（圧縮空気と共にドレン水Ｗが排出される排出口）に接続される。この三方弁１３は、コントローラ１４の制御に従って、ａポートに対してｂポートおよびｃポートのいずれかを連通させることにより、送水装置１０における送水タンク１１の圧縮空気導入口１１ａに対してエアコンプレッサ１１０のドレン水排出口１１０ａおよび気液開放口（この例では、ｃポート）のいずれかを選択的に連通させる。
【００３０】
コントローラ１４は、「制御部」の一例であって、三方弁１３を制御することにより、送水タンク１１の圧縮空気導入口１１ａに接続用配管１５ａを介して接続されたａポートに対して、接続用配管１５ｂを介してエアコンプレッサ１１０のドレン水排出口１１０ａに接続されたｂポート、および大気開放されたｃポートのいずれかを選択的に連通させる。
【００３１】
接続用配管１７は、「第３接続用配管」の一例であって、一端部が、「第２接続用配管」としての接続用配管１６における中間部（送水装置１０に接続された側の端部、および油水分離装置３に接続された側の端部の間）に接続されると共に、他端部が、一例として、エアドライヤ１３０（「第１接続用配管を接続したドレン水発生源とは相違するドレン水発生源」の一例）のドレン水排出口１３０ａ（圧縮空気と共にドレン水Ｗが排出される排出口）に取り付けられたドレン水排出器１３１に接続される。
【００３２】
油水分離装置３は、一例として、板状のポリプロピレンの小片、または、繊維状のポリプロピレンなどの油吸着材をポリプロピレン製の容器体内に充填したフィルタエレメントと、このフィルタエレメントを収容するハウジングとを備え（共に図示せず）ている。この油水分離装置３は、送水システム２によって送水されたドレン水Ｗに含まれている油分を油吸着材によって吸着して除去することでドレン水Ｗを浄化する。
【００３３】
この浄化システム１では、一例として、ドレンピットＰの近傍に設置されているエアタンク１２０におけるドレン水排出口１２０ａ（圧縮空気と共にドレン水Ｗが排出される排出口）に排水用配管１２５の一端部が接続されると共に、この排水用配管１２５の他端部がドレンピットＰに位置させられている。したがって、エアタンク１２０のドレン水排出口１２０ａから排出されるドレン水Ｗについては、浄化システム１の動作状態に影響されることなく、排水用配管１２５を介してドレンピットＰ内に流入する。なお、エアタンク１２０等から排出されたドレン水Ｗだけでなく、図示しない他のドレン水発生源（エアフィルタ、エア供給用配管、およびエア供給用配管に設けられた溜まり部等）から排出されたドレン水Ｗなどが流入するように構成することもできる。
【００３４】
また、ドレンピットＰから離間した位置であって、かつ、油水分離装置３の設置場所からも離間した位置に設置されているエアコンプレッサ１１０は、上記したように、そのドレン水排出口１１０ａが、接続用配管１５ｂ、三方弁１３および接続用配管１５ａを介して送水装置１０における送水タンク１１の圧縮空気導入口１１ａに接続されている。さらに、ドレンピットＰから離間した位置であって、かつ、油水分離装置３の設置場所とドレンピットＰ（送水装置１０の設置場所）との間に設置されているエアドライヤ１３０は、上記したように、そのドレン水排出口１３０ａが、接続用配管１７および接続用配管１６を介して送水タンク１１の排出口１１ｃに接続されている。
【００３５】
この浄化システム１では、ドレンピットＰからドレン水Ｗが溢れ出ることのないように、ドレンピットＰ内のドレン水Ｗを送水システム２によって所定時間間隔で油水分離装置３に送水して浄化する構成が採用されている。具体的には、この浄化システム１では、送水システム２のコントローラ１４が所定時間間隔で三方弁１３を切替え制御することにより、ドレンピットＰ内のドレン水Ｗを送水装置１０における送水タンク１１内に導入する処理と、導入したドレン水Ｗおよびエアコンプレッサ１１０から排出されたドレン水Ｗを油水分離装置３に送水する処理とを交互に実行する構成が採用されている。
【００３６】
より具体的には、図４に示すように、コントローラ１４に電源が投入されていないとき（同図における時点ｔ１以前、および時点ｔ１１以降）、コントローラ１４に電源が投入されているものの、エアコンプレッサ１１０に電源が投入されていないとき（同図における時点ｔ１，ｔ４の間、および時点ｔ１０，ｔ１１の間）、およびエアコンプレッサ１１０に電源が投入された状態においてコントローラ１４が三方弁１３を制御してａポートに対してｃポート（気液開放口）を連通させたとき（同図における時点ｔ４，ｔ５の間、時点ｔ６，ｔ７の間、および時点ｔ８，ｔ９の間）には、送水装置１０における送水タンク１１の圧縮空気導入口１１ａが接続用配管１５ａを介して気液開放口に連通させられる。
【００３７】
この際には、エアドライヤ１３０のドレン水排出口１３０ａに取り付けられたドレン水排出器１３１が開状態となったときに、エアドライヤ１３０内のドレン水Ｗが圧縮空気と共にドレン水排出口１３０ａから排出され、このドレン水Ｗがエアドライヤ１３０から排出された圧縮空気によって接続用配管１７および接続用配管１６を介して送水タンク１１内、または油水分離装置３内に圧送される。なお、送水タンク１１内に既に大量のドレン水Ｗが導入されている状態においてエアドライヤ１３０から大量のドレン水Ｗが排水されたときには、送水タンク１１内のドレン水Ｗが圧縮空気導入口１１ａから接続用配管１５ａを介して三方弁１３のｃポートからドレンピットＰ内に放出される。
【００３８】
また、ａポートに対してｃポート（気液開放口）が連通させられた状態においてドレン水排出器１３１が閉状態となったときには、送水タンク１１内が大気圧となる（低圧となる）結果、ドレン水導入口１１ｂに取り付けられた逆止弁１２が図２に示す状態（開状態）となって、ドレンピットＰに貯水されているドレン水Ｗがドレン水導入口１１ｂから送水タンク１１内に導入される。なお、ドレンピットＰ内に貯水されているドレン水Ｗが少量のとき（ドレン水導入口１１ｂから送水タンク１１内に流入する程度のドレン水ＷがドレンピットＰ内に貯水されていないとき）には、エアドライヤ１３０から接続用配管１７，１６を介して送水タンク１１内に流入したドレン水Ｗがドレン水導入口１１ｂからドレンピットＰ内に流れ出す。また、エアドライヤ１３０のドレン水排出器１３１から接続用配管１７内に排出されたドレン水Ｗは、エアドライヤ１３０がドレンピットＰ（送水装置１０の設置場所）よりも高所に位置しているため、自重によって接続用配管１６内を流れて送水タンク１１内、または油水分離装置３内に流入する。
【００３９】
一方、エアコンプレッサ１１０に電源が投入された状態において、コントローラ１４が三方弁１３を制御してａポートに対してｂポートを連通させたとき（図４における時点ｔ５，ｔ６の間、時点ｔ７，ｔ８の間、および時点ｔ９，ｔ１０の間）には、エアコンプレッサ１１０のドレン水排出口１１０ａから圧縮空気と共にドレン水Ｗが排出されて、この圧縮空気およびドレン水Ｗが、接続用配管１５ｂ、三方弁１３および接続用配管１５ａを介して圧縮空気導入口１１ａから送水タンク１１内に導入される。この際には、送水タンク１１内が高圧となる結果、ドレン水導入口１１ｂに取り付けられた逆止弁１２が図３に示す状態（閉状態）になると共に、送水タンク１１内に導入されているドレン水Ｗ（エアドライヤ１３０から接続用配管１７および接続用配管１６を介して流入したドレン水Ｗや、ドレン水導入口１１ｂから送水タンク１１内に導入されたドレンピットＰ内のドレン水Ｗ）、およびエアコンプレッサ１１０のドレン水排出口１１０ａから圧縮空気と共に排出されたドレン水Ｗが、エアコンプレッサ１１０からの圧縮空気によって、その圧縮空気と共に排出口１１ｃから排出されて、接続用配管１６を介して油水分離装置３に送水される。
【００４０】
この場合、前述したように、ドレン水排出器１３１が逆止弁機能を有しているため、油水分離装置３に向けて送水しているドレン水Ｗが接続用配管１７を介してエアドライヤ１３０内に逆流する事態が回避される。なお、上記したように、三方弁１３のａポートに対してｂポートを連通させた状態であっても、エアコンプレッサ１１０に電源が供給されていないとき（図４における時点ｔ２，ｔ３の間）には、三方弁１３のａポートに対してｃポートを連通させたときと同様に動作する。一方、油水分離装置３に送水されたドレン水Ｗは、フィルタを通過させられる際に油吸着材によって油分を吸着されることによって浄化され、図示しない排水口から排水される。この後、コントローラ１４は、三方弁１３を制御してａポートに対してｃポートおよびｂポートを交互に所定時間間隔で連通させることにより、エア供給源１００において発生したドレン水Ｗを油水分離装置３に順次送水する。これにより、油水分離装置３においてドレン水Ｗが浄化される。
【００４１】
このように、この送水システム２では、送水装置１０における送水タンク１１の圧縮空気導入口１１ａに一端部が接続された接続用配管１５ａ，１５ｂの他端部をドレン水発生源において圧縮空気と共にドレン水Ｗを排出するドレン水排出口（この例では、エアコンプレッサ１１０のドレン水排出口１１０ａ）に接続可能に構成すると共に、三方弁１３によって送水タンク１１の圧縮空気導入口１１ａに対して気液開放口（この例では、三方弁１３のｃポート）を連通させることで、ドレンピットＰに貯水されているドレン水Ｗを送水タンク１１のドレン水導入口１１ｂから送水タンク１１内に導入し、三方弁１３によって送水タンク１１の圧縮空気導入口１１ａに対して三方弁１３のｂポート（すなわち、エアコンプレッサ１１０のドレン水排出口１１０ａ）を連通させることで、ドレン水発生源において発生したドレン水Ｗおよび圧縮空気を、接続用配管１５ｂ、三方弁１３および接続用配管１５ａを介して圧縮空気導入口１１ａから送水タンク１１内に導入すると共にドレン水導入口１１ｂから導入したドレン水Ｗおよび圧縮空気導入口１１ａから導入したドレン水Ｗを圧縮空気によって排出口１１ｃから排出して接続用配管１６を介して送水対象体（この例では、油水分離装置３）に送水する。
【００４２】
したがって、この送水システム２によれば、エア供給対象体２００に対して供給すべき圧縮空気を使用することなく、ドレン水発生源（この例では、エアコンプレッサ１１０）においてドレン水Ｗの排水のために排出される圧縮空気を利用してドレン水Ｗを送水対象体（この例では、油水分離装置３）に送水することができる。また、接続用配管１５ａ，１５ｂを、エアコンプレッサ１１０において発生したドレン水ＷをドレンピットＰまで案内するための配管、および送水装置１０によってドレン水Ｗを送水対象体に送水するための圧縮空気を送水装置１０における送水タンク１１に供給するための配管として兼用することができるため、ドレン水Ｗ用の配管、および圧縮空気用の配管を別個に敷設するのと比較して、設置コストを十分に低減することができる。
【００４３】
また、この送水システム２によれば、接続用配管１６における一端部（送水タンク１１の排出口１１ｃに接続される側の端部）および他端部（送水対象体の一例である油水分離装置３に接続可能に構成された側の端部）の間に一端部が接続されると共に接続用配管１５ａ，１５ｂを接続するドレン水発生源（この例では、エアコンプレッサ１１０）とは相違するドレン水発生源（この例では、エアドライヤ１３０）において圧縮空気と共にドレン水Ｗを排出するドレン水排出口１３０ａに他端部を接続可能に構成された接続用配管１７を備えたことにより、接続用配管１６の一部（接続用配管１７の一端部が接続された部位と、送水タンク１１の排出口１１ｃに接続されている端部との間）を、送水タンク１１から油水分離装置３にドレン水Ｗを送水するための配管、およびエアドライヤ１３０において発生したドレン水Ｗを送水タンク１１（ドレンピットＰ）まで案内する配管として兼用することができるため、設置コストを一層低減することができる。
【００４４】
さらに、この送水システム２によれば、三方弁１３によって圧縮空気導入口１１ａに対して気液開放口（この例では、三方弁１３のｃポート）を連通させることで、接続用配管１５ａ，１５ｂを接続するドレン水発生源（この例では、エアコンプレッサ１１０）とは相違するドレン水発生源（この例では、エアドライヤ１３０）におけるドレン水排出口１３０ａから圧縮空気と共に排出されたドレン水Ｗをその圧縮空気によって接続用配管１７，１６を介して排出口から送水装置１０における送水タンク１１内に導入し、三方弁１３によって圧縮空気導入口１１ａに対して三方弁１３のｂポート（すなわち、エアコンプレッサ１１０のドレン水排出口１１０ａ）を連通させることで、送水タンク１１内に導入したドレン水Ｗを圧縮空気導入口１１ａから導入した圧縮空気によって排出口１１ｃから排出して接続用配管１６を介して油水分離装置３に送水することにより、接続用配管１７の一端部が接続されたドレン水発生源（この例では、エアドライヤ１３０）から排出されたドレン水Ｗを確実に送水タンク１１（ドレンピットＰ）に案内することができると共に、案内したドレン水Ｗを確実に油水分離装置３に送水することができる。
【００４５】
また、この送水システム２によれば、切替部（この例では、三方弁１３）を制御して圧縮空気導入口１１ａに対してドレン水排出口（この例では、エアコンプレッサ１１０のドレン水排出口１１０ａ）および気液開放口（この例では、三方弁１３のｃポート）のいずれかを連通させるコントローラ１４を備えたことにより、送水装置１０における送水タンク１１内へのドレン水Ｗの導入から、導入したドレン水Ｗの送水対象体（この例では、油水分離装置３）への送水までの一連の処理を自動化することができる。
【００４６】
さらに、この送水システム２によれば、「切替部」を三方弁で構成したことにより、例えば、複数の開閉弁を用いて、送水装置１０における送水タンク１１の圧縮空気導入口１１ａに対してエアコンプレッサ１１０のドレン水排出口１１０ａ、および気液開放口のいずれかを連通させる構成と比較して、容易に切替え制御することができるだけでなく、「切替部」を構成する部品点数を少数とすることができため、その設置コストを一層低減することができる。
【００４７】
また、この浄化システム１によれば、上記の送水システム２と、送水対象体としての油水分離装置３とを備え、送水システム２によって送水したドレン水Ｗを油水分離装置３によって浄化することにより、エア供給対象体２００に対して供給すべき綺麗な圧縮空気を使用することなく、ドレン水Ｗを送水して浄化することができると共に、接続用配管１５ａ，１５ｂを接続するエアコンプレッサ１１０において発生したドレン水ＷをドレンピットＰまで案内するための配管が不要となる分だけ、その設置コストを十分に低減することができる。
【００４８】
なお、送水システム２によって油水分離装置３にドレン水Ｗを送水して浄化する構成の浄化システム１を例に挙げて説明したが、ドレン水Ｗの送水対象体は、油水分離装置３に限定されない。具体的には、図５に示す浄化システム１Ａのように、一例として、油水分離装置３に代えて、貯水槽４に接続用配管１６を接続し、送水システム２によって貯水槽４にドレン水Ｗを送水すると共に、油水分離装置３が貯水槽４に貯水されたドレン水Ｗを浄化処理する構成を採用することもできる。なお、同図に示す浄化システム１Ａ、および後に説明する浄化システム１Ｂ（図６参照）において、前述した浄化システム１と同様の構成要素については、同一の符号を付して重複する説明を省略する。このような構成を採用した場合においても、前述した浄化システム１と同様の効果を奏することができる。
【００４９】
また、「貯水部」としてのドレンピットＰ内に貯水したドレン水Ｗを送水する構成を例に挙げて説明したが、図６に示す浄化システム１Ｂのように、「貯水部」としての貯水槽４に貯水したドレン水Ｗを送水システム２ｂによって油水分離装置３に送水して浄化する構成を採用することができる。この場合、この浄化システム１Ｂの送水システム２ｂでは、送水装置１０における送水タンク１１のドレン水導入口１１ｂが接続用配管１８を介して貯水槽４に接続されている点を除き、前述した送水システム２と同様に構成されている。したがって、送水システム２においてドレンピットＰ内のドレン水Ｗを油水分離装置３に送水するのと同様の動作によって貯水槽４内のドレン水Ｗが送水システム２ｂによって油水分離装置３に送水される。このため、この送水システム２ｂおよび浄化システム１Ｂにおいても、前述した送水システム２および浄化システム１と同様の効果を奏することができる。
【００５０】
さらに、「第１接続用配管」としての接続用配管１５ａ，１５ｂをエアコンプレッサ１１０のドレン水排出口１１０ａに接続した例について説明したが、圧縮空気と共にドレン水Ｗを排出する他の装置に接続する構成、具体的には、エアコンプレッサ１１０に代えて、エアタンク１２０のドレン水排出口１２０ａや、エアドライヤ１３０のドレン水排出口１３０ａに接続用配管１５ａ，１５ｂを接続した構成においても、エアコンプレッサ１１０のドレン水排出口１１０ａに接続した構成と同様にしてドレン水Ｗを送水することができる。
【００５１】
また、「切替部の気液開放口」としての三方弁１３のｃポートを大気開放した構成を例に挙げて説明したが、送水システムの構成はこれに限定されず、ドレン水発生源の内部の圧力や、貯水部（ドレンピットＰ等）に貯水されたドレン水Ｗに加わっている水圧よりも低圧の任意の低圧部位、または真空引きされた部位などに「気液開放口」を接続した構成を採用することもできる。このような構成を採用した場合においても、上記の送水システム２，２ｂと同様の効果を奏することができる。さらに、「切替部」を三方弁１３によって構成した例について説明したが、送水システムの構成はこれに限定されず、「送水装置の圧縮空気導入口」と「ドレン水発生源のドレン水排出口」との間、および「送水装置の圧縮空気導入口」と「気液開放口」との間にそれぞれ二方弁を配設し（図示せず）、これらを交互に開閉することによって、上記の三方弁１３と同様に機能させる構成を採用することもできる。このような構成を採用した場合においても、上記の送水システム２，２ｂと同様の効果を奏することができる。
【００５２】
加えて、「切替部」としての三方弁１３をコントローラ１４によって制御する構成の送水システム２，２ｂを例に挙げて説明したが、「制御部（コントローラ１４）」を設けずに、「切替部（三方弁１３や、上記の２つの二方弁）」を手動で開閉操作する構成を採用することもできる。このような構成を採用することにより、送水システム２，２ｂと同様にドレン水Ｗを送水することができるだけでなく、「制御部（コントローラ１４）」が不要となる分だけ、その設置コストを十分に低減することができる。
【符号の説明】
【００５３】
１，１Ａ，１Ｂ  浄化システム
２，２ｂ  送水システム
３  油水分離装置
４  貯水槽
１０  送水装置
１１  送水タンク
１１ａ  圧縮空気導入口
１１ｂ  ドレン水導入口
１１ｃ  排出口
１２  逆止弁
１３  三方弁
１４  コントローラ
１５ａ，１５ｂ，１６〜１８  接続用配管
１００  エア供給源
１１０  エアコンプレッサ
１１０ａ，１２０ａ，１３０ａ  ドレン水排出口
１２０  エアタンク
１２５  排水用配管
１３０  エアドライヤ
１３１  逆止弁
１４０  接続用配管
２００  エア供給対象体
Ｐ  ドレンピット
Ｗ  ドレン水
【図１】
0005396667.tif 000002
【図２】
0005396667.tif 000003
【図３】
0005396667.tif 000004
【図４】
0005396667.tif 000005
【図５】
0005396667.tif 000006
【図６】
0005396667.tif 000007